(57)【要約】【課題】係合構造により係合される組合せ型の照明装置の技術領域を提供する。【解決手段】組合せ型の照明装置は簡単に組立てれる透明ランプシェード１７及び電球ケース本体１１を含み、放熱モジュールは平滑状のランプカップ１１０を有する収納室１１１に設置され、収納室中の回路基板１９０の電子部材に接触される。上述の構造は照明装置の放熱効果を有し、一般的な放熱フィン式のランプカップの製造コストを削減させる。【選択図】図２
2014072194.tif 000002
【特許請求の範囲】
【請求項１】
組合せ型の照明装置に応用される放熱モジュールであって、前記組合せ型の照明装置は、
収納室及び前記収納室内に設置される中間スリーブを有する電球ケース本体と、
少なくとも１つの電子部材を有すると共に少なくとも一部分が前記中間スリーブに納置される回路基板と、
前記電球ケース本体に設置される発光ダイオード発光モジュールと、
前記発光ダイオード発光モジュールに覆設されると共に前記電球ケース本体に係合される透明ランプシェードを備え、
前記放熱モジュールは、
前記電子部材に接触されると共に前記中間スリーブの側壁に貫設され、少なくとも一部分が前記中間スリーブの前記側壁の外に露出される少なくとも１つの放熱ブロックと、
前記側壁の外に露出される前記放熱ブロックに接触され、前記中間スリーブの前記側壁の外に覆設されると共に前記収納室に位置される環状放熱構造を含む事を特徴とする放熱モジュール。
【請求項２】
組合せ型の照明装置に応用される放熱モジュールであって、前記組合せ型の照明装置は、
収納室及び前記収納室に内設される中間スリーブを有する電球ケース本体と、
少なくとも１つの電子部材を有すると共に少なくとも一部分は前記中間スリーブに納置される回路基板と、
前記電球ケース本体に設置される発光ダイオード発光モジュールと、
前記発光ダイオード発光モジュールに覆設されると共に前記電球ケース本体に係合される透明ランプシェードを備え、
前記放熱モジュールは、
前記電子部材に接触されると共に前記中間スリーブの側壁に貫設され、少なくとも一部分は前記中間スリーブの前記側壁の外に露出される少なくとも１つの放熱ブロックと、
前記側壁の外に露出される前記放熱ブロックに接触され、前記中間スリーブの前記側壁の外に覆設されると共に前記側壁上に係合される環状放熱構造を含む事を特徴とする放熱モジュール。
【請求項３】
組合せ型の照明装置に応用される放熱モジュールであって、前記組合せ型の照明装置は、
収納室及び前記収納室内に設置される中間スリーブを有する電球ケース本体と、
少なくとも一部分は前記中間スリーブに納置される回路基板と、
前記電球ケース本体に設置される発光ダイオード発光モジュールと、
前記発光ダイオード発光モジュールに覆設されると共に前記電球ケース本体が係合される透明ランプシェードを備え、前記放熱モジュールは、
前記回路基板に放熱するよう接触されると共に前記中間スリーブの側壁の複数の孔部を通し少なくとも一部分が前記中間スリーブのこれら前記孔部から露出され、各前記放熱ブロックは何れか一つの前記孔部に対応する複数の放熱ブロックと、
これら前記孔部から露出されるこれら前記放熱ブロックに接触され、前記中間スリーブの前記側壁の外に覆設されると共に前記収納室中に位置される環状放熱構造と、
これら前記放熱ブロックと前記環状放熱構造との間に位置し、これら前記放熱ブロックと前記環状放熱構造とを固定させる少なくとも１つの放熱接着剤を含む事を特徴とする放熱モジュール。
【請求項４】
中空部分を有する装設平面を有するランプカップからなり、前記装設平面には第一係合構造が設けられる前記電球ケース本体と、
前記装設平面の前記中空部分から前記装設平面の上方に突出される検知装置で構成される前記回路基板の検知と駆動モジュールと、
前記電球ケース本体の前記装設平面上に積載される前記発光ダイオード発光モジュールと、
前記第一係合構造により前記電球ケース本体に係合される前記透明ランプシェードを備える事を特徴とする請求項１、請求項２または請求項３の何れか１項つに記載の放熱モジュールの組合せ型の照明装置。
【請求項５】
前記ランプカップは皆平滑状の外側表面及び前記外側表面に対応する内側表面を備えるか、
或いは前記検知と駆動モジュールは、赤外線人体検知部材で構成される前記検知装置を包囲させる遮光マスクを更に備えるか、
或いは前記発光ダイオード発光モジュールは前記装設平面に積載されると共に前記中間スリーブに係合され、
前記組合せ型の照明装置は、それと前記発光ダイオード発光モジュールとは前記電球ケース本体の両端にそれぞれ設置され、それは第二係合構造を有すると共に前記第二係合構造により前記電球ケース本体に係合される口金モジュールを更に備えるか、
或いは前記組合せ型の照明装置は口金モジュール及び複数の異物防止構造を更に備え、前記口金モジュールと前記発光ダイオード発光モジュールとは前記電球ケース本体の両端にそれぞれ設置され、これら前記異物防止構造は前記透明ランプシェードと前記電球ケース本体との間にそれぞれ設置されると共に前記電球ケース本体と前記口金モジュールとの間に設置される事を特徴とする請求項４に記載の組合せ型の照明装置。
【請求項６】
前記ランプカップは皆平滑状の外側表面及び前記外側表面に対応する内側表面を備え、
前記検知装置は、
赤外線人体検知部材ないしはマイクロ波検知部材と、
それと前記発光ダイオード発光モジュールは前記電球ケース本体の両端にそれぞれ設置され、第二係合構造を有すると共に前記第二係合構造により前記電球ケース本体に係合され、前記発光ダイオード発光モジュールは前記装設平面に積載されると共に前記中間スリーブに係合される口金モジュールを含む事を特徴とする請求項４に記載の組合せ型の照明装置。
【請求項７】
前記ランプカップは皆平滑状の外側表面及び前記外側表面に対応する内側表面を備え、前記外側表面、前記内側表面、前記装設平面、及び前記第一係合構造は一体成型ないしは装設式であり、
前記検知と駆動モジュールは赤外線人体検知部材で構成される前記検知装置を包囲させる遮光マスクを更に備え、
前記透明ランプシェードは、
頂端の開孔部及びレンズと、
それと前記発光ダイオード発光モジュールは前記電球ケース本体の両端にそれぞれ設置され、第二係合構造を有すると共に前記第二係合構造により前記電球ケース本体に係合される口金モジュールを含み、
前記遮光マスクは前記開孔部に貫設され、前記レンズは前記遮光マスクを被覆させる事を特徴とする請求項４に記載の組合せ型の照明装置。
【請求項８】
前記ランプカップは皆平滑状の外側表面及び前記外側表面に対応する内側表面を備え、前記外側表面、前記内側表面、前記装設平面、及び前記第一係合構造は金属で一体成型されるか装設式であり、
前記検知と駆動モジュールは赤外線人体検知部材で構成される前記検知装置を包囲させる遮光マスクを更に備え、
前記透明ランプシェードは、
頂端の開孔部及びレンズと、
それと前記発光ダイオード発光モジュールは前記電球ケース本体の両端にそれぞれ設置され、それは第二係合構造を有すると共に前記第二係合構造により前記電球ケース本体に係合される口金モジュールと、
前記透明ランプシェードと前記電球ケース本体との間にそれぞれ設置され、前記電球ケース本体と前記口金モジュールとの間に設置される複数の異物防止構造を含み、
前記遮光マスクは前記開孔部に貫設され、前記レンズは前記遮光マスクを被覆させる事を特徴とする請求項４に記載の組合せ型の照明装置。
【請求項９】
前記ランプカップは皆平滑状の外側表面及び前記外側表面に対応する内側表面を備え、前記外側表面、前記内側表面、前記装設平面、及び前記第一係合構造は金属で一体成型されるか装設式であり、
前記検知と駆動モジュールは、前記検知装置と前記中間スリーブとを結合させる結合部材を更に備え、前記検知装置は、
マイクロ波検知部材と、
それと前記発光ダイオード発光モジュールは前記電球ケース本体の両端にそれぞれ設置され、それは第二係合構造を有すると共に前記第二係合構造により前記電球ケース本体に係合される口金モジュールと、
前記透明ランプシェードと前記電球ケース本体との間にそれぞれ設置され、前記電球ケース本体と前記口金モジュールとの間に設置される複数の異物防止構造を含む事を特徴とする請求項４に記載の組合せ型の照明装置。
【請求項１０】
前記ランプカップは皆平滑状の外側表面及び前記外側表面に対応する内側表面を備え、前記外側表面、前記内側表面、前記装設平面、及び前記第一係合構造は金属で一体成型されるか装設式であり、
前記検知と駆動モジュールは前記検知装置を包囲させる遮光マスクを更に備え、
前記検知装置は、
赤外線人体検知部材と、
それと前記発光ダイオード発光モジュールは前記電球ケース本体の両端にそれぞれ設置され、それは口金内管及び導体ケースからなり、前記導体ケースは前記口金内管の外側表面に覆設される口金モジュールと、
前記透明ランプシェードと前記電球ケース本体との間にそれぞれ設置され、前記電球ケース本体と前記口金モジュールとの間に設置される複数の防水ワッシャーを含む事を特徴とする請求項４に記載の組合せ型の照明装置。
【発明の詳細な説明】
【技術分野】
【０００１】
本発明は、係合構造を用いて係合される組合せ型の照明装置の技術領域に関する。
【背景技術】
【０００２】
一般的な電球はランプシェード、電球ケース本体、口金、及び発光モジュール等の部材を少なくとも備え、電球が多機能電球である場合、電球により多くの部材を内設する必要がある。通常、電球内の各部材の間はねじや接着剤等で接合されるが、然しながら電球内の各部材は体積が小さいため螺接や接着が困難であり、組立てに時間がかかり製造効率も低下した。
【先行技術文献】
【特許文献】
【０００３】
【特許文献１】台湾特許出願公開第２０１１２６０９４号公報
【特許文献２】台湾特許出願公開第２０１１４２１８８号公報
【発明の概要】
【発明が解決しようとする課題】
【０００４】
しかしながら、前述した従来の灯具では、電球を一定時間以上使用すると高熱を発し、接着剤自体の物質的特性のため高温の影響で変形や溶解してしまい、接着剤で固定された各部材の変位や損壊に繋がり、信頼性は低かった。
【０００５】
特許文献１に記載される発光ダイオード灯具は、口金及びＬＥＤセットが装設される電球ケース本体を備え、口金及び電球ケース本体は係合されて連結される。なお、特許文献２に記載される灯具は、電球ケース本体及び電球ケース本体に組合せられるランプシェードを備え、電球ケース本体のランプシェードに近接する一端には固定溝が設けられてランプシェードの係合部材に連結される。
【０００６】
また、一般的な発光ダイオードは放熱フィンを用いるが、放熱フィンのコストが高いために電球のコストも上昇した。また、放熱フィンを装設させるには設計を変更させるか、電球全体の重量を増加させる必要があった。このため、新たな設計により放熱効果を達成させつつ電球の製造コストを抑える必要があった。
【０００７】
そこで、本発明者は上記の欠点が改善可能と考え、鋭意検討を重ねた結果、合理的かつ効果的に課題を改善する本発明の提案に到った。
【０００８】
本発明は、このような従来の問題に鑑みてなされたものである。上記課題解決のため、本発明は、放熱モジュール及び放熱モジュールを有する組合せ型の照明装置を提供することを主目的とする。すなわち、放熱モジュールは電球ケース本体内に簡単に覆設でき、電球ケース本体及び透明ランプシェードに形成される係合機構により電球ケース本体と透明ランプシェードとを直接係合させて組立てになり、組立てが簡単になるほか、組立て効率も高まり信頼性も増す。さらに、表面が平滑なランプカップにより従来の放熱フィンを代替させ、ランプカップ及び透明ランプシェードの組立てが手軽になり、組立て効率を高めて製造コストも削減させる。
【課題を解決するための手段】
【０００９】
上述した課題を解決し、目的を達成するために、本発明に係る放熱モジュールは組合せ型の照明装置に応用される放熱モジュールであって、前記組合せ型の照明装置は、
収納室及び前記収納室内に設置される中間スリーブを有する電球ケース本体と、
少なくとも１つの電子部材を有すると共に少なくとも一部分が前記中間スリーブに納置される回路基板と、
前記電球ケース本体に設置される発光ダイオード発光モジュールと、
前記発光ダイオード発光モジュールに覆設されると共に前記電球ケース本体に係合される透明ランプシェードを備え、
前記放熱モジュールは、
前記電子部材に接触されると共に前記中間スリーブの側壁に貫設され、少なくとも一部分が前記中間スリーブの前記側壁の外に露出される少なくとも１つの放熱ブロックと、
前記側壁の外に露出される前記放熱ブロックに接触され、前記中間スリーブの前記側壁の外に覆設されると共に前記収納室に位置される環状放熱構造を含むことを特徴とする。
【００１０】
なお、本発明に係る放熱モジュールは組合せ型の照明装置に応用される放熱モジュールであって、前記組合せ型の照明装置は、
収納室及び前記収納室内に設置される中間スリーブを有する電球ケース本体と、
少なくとも１つの電子部材を有すると共に少なくとも一部分は前記中間スリーブに納置される回路基板と、
前記電球ケース本体に設置される発光ダイオード発光モジュールと、
前記発光ダイオード発光モジュールに覆設されると共に前記電球ケース本体が係合される透明ランプシェードを備え、前記放熱モジュールは、
前記電子部材に接触されると共に前記中間スリーブの側壁に貫設され、少なくとも一部分が前記中間スリーブの前記側壁の外に露出される少なくとも１つの放熱ブロックと、
前記側壁の外に露出される前記放熱ブロックに接触され、前記中間スリーブの前記側壁の外に覆設されると共に前記収納室に位置される環状放熱構造を含むことを特徴とする。
【００１１】
本発明に係る放熱モジュールは組合せ型の照明装置に応用される放熱モジュールであって、前記組合せ型の照明装置は、
収納室及び前記収納室内に設置される中間スリーブを有する電球ケース本体と、
少なくとも一部分は前記中間スリーブに納置される回路基板と、
前記電球ケース本体に設置される発光ダイオード発光モジュールと、
前記発光ダイオード発光モジュールに覆設されると共に前記電球ケース本体が係合される透明ランプシェードを備え、前記放熱モジュールは、
前記回路基板に放熱するよう接触されると共に前記中間スリーブの側壁の複数の孔部を通し少なくとも一部分が前記中間スリーブのこれら前記孔部から露出され、各前記放熱ブロックは何れか一つの前記孔部に対応する複数の放熱ブロックと、
これら前記孔部から露出されるこれら前記放熱ブロックに接触され、前記中間スリーブの前記側壁の外に覆設されると共に前記収納室中に位置される環状放熱構造と、
これら前記放熱ブロックと前記環状放熱構造との間に位置し、これら前記放熱ブロックと前記環状放熱構造とを固定させる少なくとも１つの放熱接着剤を含むことを特徴とする。
【００１２】
本発明に係る放熱モジュール及び放熱モジュールを有する組合せ型の照明装置は、中空部分を有する装設平面を有するランプカップからなり、前記装設平面には第一係合構造が設けられる前記電球ケース本体と、
前記装設平面の前記中空部分から前記装設平面の上方に突出される検知装置で構成される前記回路基板の検知と駆動モジュールと、
前記電球ケース本体の前記装設平面上に積載される前記発光ダイオード発光モジュールと、
前記第一係合構造により前記電球ケース本体に係合される前記透明ランプシェードを備えることを特徴とする。
【００１３】
好ましくは、前記ランプカップは皆平滑状の外側表面及び前記外側表面に対応する内側表面を備える。或いは前記検知と駆動モジュールは赤外線人体検知部材からなる検知装置を包囲させる遮光マスクを更に備える。或いは前記発光ダイオード発光モジュールは前記装設平面に積載されると共に前記中間スリーブに係合される。前記組合せ型の照明装置は口金モジュールを更に含み、前記口金モジュールと前記発光ダイオード発光モジュールとは前記電球ケース本体の両端にそれぞれ設置され、前記口金モジュールは第二係合構造を有すると共に前記第二係合構造により前記電球ケース本体に係合される。或いは前記組合せ型の照明装置は口金モジュール及び複数の異物防止構造を更に備え、前記口金モジュールと前記発光ダイオード発光モジュールとは前記電球ケース本体の両端にそれぞれ設置され、これら前記異物防止構造は前記透明ランプシェードと前記電球ケース本体との間にそれぞれ設置され、且つ前記電球ケース本体と前記口金モジュールとの間に設置される。
【００１４】
好ましくは、前記ランプカップは皆平滑状の外側表面及び前記外側表面に対応する内側表面を備える。前記検知装置は赤外線人体検知部材ないしはマイクロ波検知部材、及びそれと前記発光ダイオード発光モジュールとは前記電球ケース本体の両端にそれぞれ設置され、それは第二係合構造を有すると共に前記第二係合構造により前記電球ケース本体に係合され、前記発光ダイオード発光モジュールは前記装設平面に積載されると共に前記中間スリーブに係合される口金モジュールを含む。
【００１５】
好ましくは、前記ランプカップは皆平滑状の外側表面及び前記外側表面に対応する内側表面を備え、前記外側表面、前記内側表面、前記装設平面、及び前記第一係合構造は一体成型ないしは装設式になる。前記検知と駆動モジュールは赤外線人体検知部材で構成される検知装置を包囲させる遮光マスクを更に備える。前記透明ランプシェードは頂端の通孔部、レンズ、及び口金モジュールを含み、前記遮光マスクは前記通孔部に貫設され、前記レンズは前記遮光マスクに覆設され、前記口金モジュールと前記発光ダイオード発光モジュールとは前記電球ケース本体の両端にそれぞれ設置され、前記口金モジュールは第二係合構造を有すると共に前記第二係合構造により前記電球ケース本体に係合される。
【００１６】
好ましくは、前記ランプカップは皆平滑状の外側表面及び前記外側表面に対応する内側表面を備え、前記外側表面、前記内側表面、前記装設平面、及び前記第一係合構造は金属で一体成型されるか装設式である。前記検知と駆動モジュールは赤外線人体検知部材からなる検知装置を包囲させる遮光マスクを更に備える。前記透明ランプシェードは頂端の通孔部、レンズ、口金モジュール、及び複数の異物防止構造を含み、前記遮光マスクは前記通孔部に貫設され、前記レンズは前記遮光マスクに覆設され、前記口金モジュールと前記発光ダイオード発光モジュールとは前記電球ケース本体の両端にそれぞれ設置され、前記口金モジュールは第二係合構造を有すると共に前記第二係合構造により前記電球ケース本体に係合され、前記複数の異物防止構造は前記透明ランプシェードと前記電球ケース本体との間にそれぞれ設置され、且つ前記電球ケース本体と前記口金モジュールとの間に設置される。
【００１７】
好ましくは、前記ランプカップは皆平滑状の外側表面及び前記外側表面に対応する内側表面を備え、前記外側表面、前記内側表面、前記装設平面、及び前記第一係合構造は金属で一体成型されるか装設式である。前記検知と駆動モジュールはマイクロ波検知部材で構成される前記検知装置と前記中間スリーブとを結合させる結合部材、口金モジュール、及び複数の異物防止構造を更に備え、前記口金モジュールと前記発光ダイオード発光モジュールとは前記電球ケース本体の両端にそれぞれ設置され、前記口金モジュールは第二係合構造を有すると共に前記第二係合構造により前記電球ケース本体に係合され、前記複数の異物防止構造は前記透明ランプシェードと前記電球ケース本体との間にそれぞれ設置され、且つ前記電球ケース本体と前記口金モジュールとの間に設置される。
【００１８】
好ましくは、前記ランプカップは皆平滑状の外側表面及び前記外側表面に対応する内側表面を備え、前記外側表面、前記内側表面、前記装設平面、及び前記第一係合構造は金属で一体成型されるか装設式である。前記検知と駆動モジュールは赤外線人体検知部材からなる検知装置を包囲させる遮光マスク、口金モジュール、及び複数の防水ワッシャーを更に備え、前記口金モジュールと前記発光ダイオード発光モジュールとは前記電球ケース本体の両端にそれぞれ設置され、前記口金モジュールは口金内管及び導体ケースで構成され、前記導体ケースは前記口金内管の外側表面に覆設され、前記複数の防水ワッシャーは前記透明ランプシェードと前記電球ケース本体との間にそれぞれ設置され、且つ前記電球ケース本体と前記口金モジュールとの間に設置される。
【発明の効果】
【００１９】
本発明の組合せ型の照明装置は電球ケース本体及び透明ランプシェードに形成される係合機構により、前記組合せ型の照明装置の放熱モジュールは電球ケース本体内に簡単に覆設でき、電球ケース本体及び透明ランプシェードを直接係合させて組立て可能になり、ねじや接着剤が不要であり、組立てが簡単になるほか組立所要時間も短縮させ、製品の信頼性も高める。
【図面の簡単な説明】
【００２０】
【図１】本発明に係る組合せ型の照明装置を説明する傾斜概略図である。
【図２】本発明の第１実施形態による組合せ型の照明装置を説明する傾斜分解概略図である。
【図３】本発明の組合せ型の照明装置の一部部材を説明する傾斜の分解概略図である。
【図４】本発明の組合せ型の照明装置の一部部材を説明する傾斜組合せの概略図である。
【図５】本発明の組合せ型の照明装置の一部部材を説明する組合せの断面概略図である。
【図６】本発明の組合せ型の照明装置の一部部材を説明する分解の傾斜概略図である。
【図７】本発明の組合せ型の照明装置の一部部材を説明する仰見の概略図である。
【発明を実施するための形態】
【００２１】
本発明における好適な実施の形態について、添付図面を参照して説明する。尚、以下に説明する実施の形態は、本発明の請求の範囲に記載された本発明の内容を限定するものではない。また、以下に説明される構成の全てが、本発明の必須要件であるとは限らない。
【００２２】
（第１実施形態）
以下、本発明の組合せ型の照明装置を図１〜７に基づいて説明する。
【００２３】
図１は本発明に係る組合せ型の照明装置を説明する傾斜概略図である。図２は本発明の第１実施形態による組合せ型の照明装置を説明する傾斜分解概略図である。図１と図２によれば、本発明の組合せ型の照明装置１は電球ケース本体１１、口金モジュール１５、ＬＥＤ発光モジュール１３、透明ランプシェード１７、及び検知と駆動モジュール１９を備える。口金モジュール１５は電球ケース本体１１の一端に設置され、透明ランプシェード１７はＬＥＤ発光モジュール１３に覆設され、透明ランプシェード１７及びＬＥＤ発光モジュール１３は口金モジュール１５に対応させて電球ケース本体１１の他端に設置される。また、電球ケース本体１１はランプカップ１１０及び中間スリーブ１１３を含み、ＬＥＤ発光モジュール１３は底板１３０に固定される複数の発光ダイオード１３１で構成される。口金モジュール１５は絶縁材料で製造される口金内管１５１及び口金内管１５１の外に覆設される導体ケース１５３からなる。検知と駆動モジュール１９は回路基板１９０、回路基板１９０に設置される検知装置１９１、駆動積集チップ（回路基板１９０の他面に位置されるが、図示せず）、変圧器１９３、及び第一係合構造１９４ａを有する結合部材１９４を備える。
【００２４】
図３は本発明の組合せ型の照明装置の一部部材を説明する傾斜の分解概略図である。図２と図３によれば、透明ランプシェード１７は頂端に設置される通孔部１７ａ及び前記頂端に対応する他端の辺縁に分布する少なくとも１つの第一係合構造１７ｂを備える。ＬＥＤ発光モジュール１３の底板１３０は中間スリーブ１１３を納置させる中空部分１３０ａを含み、中空部分１３０ａの辺縁に分布する少なくとも１つの第一係合構造１３０ｃを有し、第一係合構造１３０ｃは中間スリーブ１１３の第三係合構造１１３ｃに係合される。底板１３０は環状の金属板ないしは回路基板であり、発光ダイオード１３１及び外部の回路に電気的に接続される。
【００２５】
また、ランプカップ１１０は皆平滑状の外側表面１１０ａ及び外側表面１１０ａに対応する内側表面１１０ｂを備え、内側表面１１１ｂには中間スリーブ１１３を貫設させる収納室１１１を有する。ランプカップ１１０は中空部分を有する装設平面１１２を更に備え、前記装設平面１１２はランプカップ１１０及び透明ランプシェード１７が装設される一端に近接し、少なくとも１つの第一係合構造１１２ａが装設平面１１２の外縁に分布され、第二係合構造１１２ｃは装設平面１１２の中空部分の辺縁に分布される。外側表面１１０ａは装設平面１１２から突出し、装設平面１１２及び第一係合構造１１２ａの外縁に側壁を形成させる。
【００２６】
第１実施形態では、装設平面１１２の第一係合構造１１２ａと透明ランプシェード１７の第一係合構造１７ｂとは互いに係合し、透明ランプシェード１７は前記第一係合構造により電球ケース本体１１のランプカップ１１０に係合される。第一係合構造１１２ａ及び第一係合構造１７ｂの形式は図中のものに限定されず、係合溝と係合フック、貫通溝と係合フックや係合溝と係合部材等係合出来る型式であれば皆本発明の係合構造として利用できる。また、装設平面及び透明ランプシェードの辺縁に分布される複数の第一係合構造を有する場合、これら前記第一係合構造同士は同じでも異なっていてもよい。
【００２７】
なお、装設平面１１２にはＬＥＤ発光モジュール１３が積載され、装設平面１１２の第二係合構造１１２ｃは底板１３０の第一係合構造１３０ｃに対応し且つ中間スリーブ１１３の第三係合構造１１３ｃとの係合にも使用される。また、ランプカップ１１０の外側表面１１０ａ、内側表面１１０ｂ、装設平面１１２、第一係合構造１１２ａ、及び第二係合構造１１２ｃは金属材料で一体成型されても装設式でもよい。
【００２８】
上述のように、従来のフィン式のランプカップに比べ、平滑状の外側表面及び内側表面を有するランプカップはランプカップのコストを節約させる。また、ランプカップの装設平面には係合構造が設置され、組立て時に発光モジュールを装設平面に截置させ、ランプカップを透明ランプシェードの係合構造に直接係合させる事で組立て工程を簡略化させる。ランプカップと透明ランプシェードとの接触箇所には異物防止構造１６１を選択的に設置させ、両者をより密着させて装設させる。ランプカップはアルミやアルミ合金等の金属または合金材料により製造され、軽量化と放熱の目的を達成させる。
【００２９】
さらに、中空部分１３０ａに設置される第三係合構造１１３ｃによりＬＥＤ発光モジュール１３の底板１３０を中間スリーブ１１３に直接係合させ、従来の螺子で底板１３０を装設平面１１２に螺設する方式を改善させ、部材の複雑さを解消させる。
【００３０】
図４は本発明の組合せ型の照明装置の一部部材を説明する傾斜組合せの概略図である。図２と図４によれば、中間スリーブ１１３は少なくとも１つの第一係合構造１１３ａ、第二係合構造１１３ｂ、及び第三係合構造１１３ｃを備え、第一係合構造１１３ａ及び第二係合構造１１３ｂは中間スリーブ１１３の対応する両端にそれぞれ設置され、第三係合構造１１３ｃは第二係合構造１１３ｂの外側に設置される。中間スリーブ１１３は第一係合構造１１３ａにより口金モジュール１５の口金内管１５１の第一係合構造１５１ａに組み合わされる。例えば、中間スリーブ１１３の第一係合構造１１３ａは係合パンプであり、口金モジュール１５の第一係合構造１５１ａは係合溝等である。口金モジュール１５或いは電球ケース本体１１を押すのみで口金内管１５１の第一係合構造１５１ａを電球ケース本体１１の中間スリーブ１１３の第一係合構造１１３ａに係合させ固定させる事が出来る。当然ながらこれは一例に過ぎず、実際の実施方式をこれに制限させるものではない。
【００３１】
検知と駆動モジュール１９の回路基板１９０の少なくとも一部分は中間スリーブ１１３内に貫設されると共に中間スリーブ１１３から突出され、透明ランプシェード１７の方向へ延伸される。これにより回路基板１９０自身の体積の為に装設が制限される問題を回避させる。これにより空間の利用性が大幅に高まり、部材の装設もより柔軟に行える。また、結合部材１９４の第一係合構造１９４ａも中間スリーブ１１３の第二係合構造１１３ｂに係合される。例えば、第二係合構造１１３ｂは係合ピンであり、第一係合構造１９４ａは係合部であり、押圧動作のみで係合ピンを係合部に係合させる事が可能となる。
【００３２】
なお、ＬＥＤ発光モジュール１３に係合させる事以外、更に中間スリーブ１１３の第三係合構造１１３ｃは口金内管１５１の第二係合構造１５１ｃに合わせて定位するか環状放熱構造１１４を固定させるが、これは後述する。
【００３３】
第１実施形態では、検知装置１９１は赤外線人体検知部材（ＰＩＲ）ないしはマイクロ波（Ｍｉｃｒｏｗａｖｅ）検知部材である。検知装置１９１が赤外線人体検知部材（ＰＩＲ）の場合の実施形態は、検知と駆動モジュール１９は検知装置１９１を包囲させ遮蔽させる遮光マスク１９７を更に備え、検知装置１９１が発光モジュール１３の光線や熱量に干渉されるのを防ぐ。遮光マスク１９７の設置により透明ランプシェード１７の頂端には通孔部１７ａが形成され、遮光マスク１９７は通孔部１７ａを貫設させてより好ましい検知視野を獲得し、遮光マスク１９７の頂端にはレンズ１９７ａが設置される。また、遮光マスク１９７は結合部材１９４に結合されるか、或いは本実施形態のように結合部材１９４と一体成形される。
【００３４】
以下は本発明の組合せ型の照明装置１の放熱手段について説明する。図５は本発明の組合せ型の照明装置の一部部材を説明する組合せの断面概略図であり、図６は本発明の組合せ型の照明装置の一部部材を説明する分解の傾斜概略図であり、図７は本発明の組合せ型の照明装置の一部部材を説明する仰見の概略図である。図２、図５、図６と図７を参照しながら、本発明の組合せ型の照明装置１の放熱手段を説明する。ランプカップ１１０は金属材料により製造される平滑な内側表面及び外側表面を備え、熱対流方式により放熱を行う。次に、電球ケース本体１１は放熱ブロック１１５を更に備え、中間スリーブ１１３の側壁には放熱ブロック１１５を貫設させる少なくとも１つの通孔部１１３ｄが開設され、放熱ブロック１１５の上下両端は中間スリーブ１１３の通孔部１１３ｄにそれぞれ抵触し、放熱ブロック１１５の表面は駆動積集チップ１９２及び／或いは変圧器１９３等の回路基板１９０の電子部材に直接的に、或いは間接的に接触され、駆動積集チップ１９２及び変圧器１９３の放熱を補助させる。このほか、電球ケース本体１１はシリカゲルパッド（図示せず）を更に備え、放熱ブロック１１５はシリカゲルパッドにより放熱させる部材に間接的に接触される。例えば、シリカゲルパッドは放熱ブロック１１５と駆動積集チップ１９２及び／或いは変圧器１９３との間に挟装される。シリカゲルパッド１１８は可撓性であり放熱特性に優れ、高さの異なる駆動積集チップ１９２及び／或いは変圧器１９３及び／或いは他の部材に貼着させる。
【００３５】
なお、好適な実施の形態において、放熱ブロック１１５以外に、電球ケース本体１１は中間スリーブ１１３の側壁の外側に覆設される環状放熱構造１１４を更に備え、環状放熱構造１１４は通孔部１１３ｄから露出されて放熱ブロック１１５に直接接触される。また、環状放熱構造１１４は中間スリーブ１１３の側壁の外に覆設されると共に側壁に係合されるか、或いは環状放熱構造１１４は収納室１１１中に位置される。放熱ブロック１１５と駆動積集チップ１９２または変圧器１９３の内の少なくとも１つとが直接接触した後、放熱ブロック１１５と環状放熱構造１１４とが直接接触することで、熱を中間スリーブ１１３の外側に素早く伝熱させる。環状放熱構造１１４の固定方式は、放熱接着剤（図示せず）により放熱ブロック１１５に直接接着されるか、中間スリーブ１１３の外側の第三係合構造１１３ｃにより口金内管１５１の第二係合構造１５１ｃに係合させて環状放熱構造１１４を固定させる。
【００３６】
上述のように、従来のランプカップ１１０は放熱フィンが組成されることで放熱を行うが、但し放熱フィンのコストは高く、組合せ型の照明装置の材料及び製造コストも高くなってしまう。駆動積集チップ１９２及び変圧器１９３を改善させて排熱量を抑える事で、放熱フィン式のランプカップも改善の余地を残す。本発明では、環状放熱構造を設置させる事でランプカップ内の回路基板の熱源を熱伝導方式によりランプカップの外側に伝熱した後、ランプカップ内の収納室１１１で熱対流か放射により排熱する。本発明による環状放熱構造は放熱効果及び低コスト化の長所を有し、照明装置の製造コストを削減させ、照明装置に放熱効果を与える。
【００３７】
なお、図２によれば、本発明の組合せ型の照明装置は防水ワッシャー等の複数の異物防止構造１６１を更に備え、何れか２つの係合構造箇所にそれぞれ設置されるが、これは例に過ぎず、例えばレンズ１９７ａと遮光マスク１９７との間、遮光マスク１９７と透明ランプシェード１７との間、結合部材と発光モジュール１３との間、或いは中間スリーブ１１３と口金内管１５１との間等に設置させても良い。
【００３８】
上述のとおり、本発明の組合せ型の照明装置は電球ケース本体及び透明ランプシェードに形成される係合機構により、電球ケース本体及び透明ランプシェードを直接係合させて組立て可能であり、ねじや接着剤も不必要であり、組立て所要時間を短縮させ信頼性も高める。
【００３９】
以上、本発明の実施形態について図面を参照して詳述したが、具体的な構成はこの実施形態に限られるものではなく、本発明の要旨を逸脱しない範囲の設計変更等も含まれる。
【符号の説明】
【００４０】
１          組合せ型の照明装置
１１        電球ケース本体
１１０      ランプカップ
１１１      収納室
１１３ｂ    第二係合構造
１１３ｃ    第三係合構造
１１３ｄ    通孔部
１１４      環状放熱構造
１１５      放熱ブロック
１３        ＬＥＤ発光モジュール
１３０      底板
１３０ａ    中空部分
１３０ｃ    第一係合構造
１３１      発光ダイオード
１５        口金モジュール
１５１      口金内管
１５１ａ    第一係合構造
１５１ｃ    第二係合構造
１５３      導体ケース
１６１      異物防止構造
１７        透明ランプシェード
１７ａ      開孔部
１７ｂ      第一係合構造
１９        検知と駆動モジュール
１９０      回路基板
１９１      検知装置
１９２      駆動積集チップ
１９３      変圧器
１９４ａ    第一係合構造
１９４      結合部材
１９７      遮光マスク
１９７ａ    レンズ
【図１】
2014072194.tif 000003
【図２】
2014072194.tif 000004
【図３】
2014072194.tif 000005
【図４】
2014072194.tif 000006
【図５】
2014072194.tif 000007
【図６】
2014072194.tif 000008
【図７】
2014072194.tif 000009